(57)【要約】【課題】            ガイドリングの下端付近に釣糸から作用する力に対しても変形しにくい釣糸ガイド、及び、かかる釣糸ガイドを備える釣竿を提供する。【解決手段】          本発明の一実施形態に係る釣糸ガイドは、釣糸を挿通可能な円環状のガイドリングが嵌め込まれる略円形の貫通孔が形成され、竿体の後方から前方に向かって傾いている板状の保持部と、前記竿体に取り付けられる前側足部と、前記竿体の前記前側足部よりも後方に取り付けられる後側足部と、前記保持部の下端と前記前側足部との間に設けられた板状の前側支脚部と、前記保持部の下端と前記前側足部との間に設けられた板状の後側支脚部と、を備える。本発明の一実施形態においては、前記ガイドリングの下端は、側面視で、前記前側足部と前記後側足部との略中央にある。また、本発明の一実施形態においては、前記ガイドリングの上端は、側面視で、前記前側足部よりも前記竿体の後方にある。【選択図】          図５
2014135913.tif 000002
【特許請求の範囲】
【請求項１】
釣糸を挿通可能な円環状のガイドリングが嵌め込まれる略円形の貫通孔が形成され、竿体の後方から前方に向かって傾いている板状の保持部と、
前記竿体に取り付けられる前側足部と、
前記竿体の前記前側足部よりも後方に取り付けられる後側足部と、
前記保持部の下端と前記前側足部との間に設けられた板状の前側支脚部と、
前記保持部の下端と前記前側足部との間に設けられた板状の後側支脚部と、
を備え、
前記ガイドリングの下端は、側面視で、前記前側足部と前記後側足部との略中央にあり、
前記ガイドリングの上端は、側面視で、前記前側足部よりも前記竿体の後方にある、
釣糸ガイド。
【請求項２】
前記保持部は、その最大幅が前記竿体における前記前側足部の取付位置における外径と実質的に同一か又は当該外径よりも小さくなるように構成されている、請求項１に記載の釣糸ガイド。
【請求項３】
前記保持部は前記後側支脚部と同一平面上にある、請求項１又は請求項２に記載の釣糸ガイド。
【請求項４】
竿体と、
当該竿体の外周面に取り付けられ、リールから繰り出された釣糸を案内する釣糸ガイドと、
を備えた釣竿であって、
前記釣糸ガイドは、
釣糸を挿通可能な円環状のガイドリングが嵌め込まれる略円形の貫通孔が形成され、竿体の後方から前方に向かって傾いている板状の保持部と、
前記竿体に取り付けられる前側足部と、
前記竿体の前記前側足部よりも後方に取り付けられる後側足部と、
前記保持部の下端と前記前側足部との間に設けられた板状の前側支脚部と、
前記保持部の下端と前記前側足部との間に設けられた板状の後側支脚部と、
を備え、
前記ガイドリングの下端は、平面視で、前記前側足部と前記後側足部との略中央にあり、
前記ガイドリングの上端は、平面視で、前記前側足部よりも前記竿体の後方にある、
釣竿。
【発明の詳細な説明】
【技術分野】
【０００１】
本発明は、竿体の外周面に取り付けられる釣糸ガイド、及び、当該釣糸ガイドを備える釣竿に関する。
【背景技術】
【０００２】
従来の釣竿は、リールから繰り出され又はリールに巻き取られる釣糸を竿体に沿って案内するために、竿体の外周面に複数の釣糸ガイドを備えている。特開２００８−１２５４６３号公報（特許文献１）の釣糸ガイドは、釣糸を通して案内する環状のガイドリングと、このガイドリングを保持する保持環と、この保持環から延びる支脚部と、この支脚部から延びて竿体に取り付けられる足部とを有している。
【０００３】
特許文献１に記載されているように、釣糸ガイドには、釣糸からの力がかかったときに変形しやすいという課題がある。この点、特許文献１においては、ガイドリングを保持する導糸環を、支脚部に対して前方に傾けることにより、ガイドリングの上端と足部との距離を短くして曲げモーメントを小さくしている（特許文献１・段落［００３２］参照）。
【先行技術文献】
【特許文献】
【０００４】
【特許文献１】特開２００８−１２５４６３号公報
【発明の概要】
【発明が解決しようとする課題】
【０００５】
上記のように、特許文献１の釣糸ガイドにおいては、ガイドリングの上端と足部との距離を従来のガイドリングよりも短くなっている。したがって、特許文献１の記載の釣糸ガイドは、釣糸からの力がガイドリングの上端付近に作用したときの変形を抑制しようとするものである。
【０００６】
しかしながら、釣糸からの力は、ガイドリングの上端付近のみならず、ガイドリング内周の任意の場所に作用する。特に、竿体にベイトキャスティングリールを取り付けて使用する場合には、釣糸ガイドは竿体外周面の上面に装着されるので、魚がヒットした場合の大きな力は、ガイドリングの下端付近に作用する。特許文献１の釣糸ガイドにおいては、このような場合に、釣糸ガイドの変形を抑制するための対策は検討されていない。
【課題を解決するための手段】
【０００７】
本発明は、ガイドリングの下端付近に釣糸から作用する力に対しても変形しにくい釣糸ガイド、及び、かかる釣糸ガイドを備える釣竿を提供することを目的とする。
目的とする。
【０００８】
本発明の一実施形態に係る釣糸ガイドは、釣糸を挿通可能な円環状のガイドリングが嵌め込まれる略円形の貫通孔が形成され、竿体の後方から前方に向かって傾いている板状の保持部と、前記竿体に取り付けられる前側足部と、前記竿体の前記前側足部よりも後方に取り付けられる後側足部と、前記保持部の下端と前記前側足部との間に設けられた板状の前側支脚部と、前記保持部の下端と前記前側足部との間に設けられた板状の後側支脚部と、を備える。本発明の一実施形態においては、前記ガイドリングの下端は、側面視で、前記前側足部と前記後側足部との略中央にある。また、本発明の一実施形態においては、前記ガイドリングの上端は、側面視で、前記前側足部よりも前記竿体の後方にある。
【０００９】
本発明の一実施形態に係る釣竿は、竿体と、当該竿体の外周面に取り付けられ、リールから繰り出された釣糸を案内する釣糸ガイドと、を備える。一実施形態いおいて、当該釣糸ガイドは、釣糸を挿通可能な円環状のガイドリングが嵌め込まれる略円形の貫通孔が形成され、竿体の後方から前方に向かって傾いている板状の保持部と、前記竿体に取り付けられる前側足部と、前記竿体の前記前側足部よりも後方に取り付けられる後側足部と、前記保持部の下端と前記前側足部との間に設けられた板状の前側支脚部と、前記保持部の下端と前記前側足部との間に設けられた板状の後側支脚部と、を備える。本発明の一実施形態においては、前記ガイドリングの下端は、側面視で、前記前側足部と前記後側足部との略中央にある。また、本発明の一実施形態においては、前記ガイドリングの上端は、側面視で、前記前側足部よりも前記竿体の後方にある。
【発明の効果】
【００１０】
本発明の実施形態によって、ガイドリングの下端付近に釣糸から作用する力に対しても変形しにくい釣糸ガイド、及び、かかる釣糸ガイドを備える釣竿が提供される。
【図面の簡単な説明】
【００１１】
【図１】本発明の一実施形態に係る釣竿の構成を模式的に示す側面図。
【図２】図１に示した釣竿におけるリール２及び釣糸ガイド６−１付近を拡大して模式的に示す側面図。
【図３】図２に示した釣竿をＡ−Ａ’線に沿って切断した断面図。
【図４】図１に示した釣竿における釣糸ガイド６−１及び釣糸ガイド６−２の付近を拡大して模式的に示す側面図。
【図５】釣糸ガイド６−１を模式的に示す側面図
【図６】釣糸から釣糸ガイド６−１に対して下向きの力が作用している場合の図２に対応する側面図。
【発明を実施するための形態】
【００１２】
以下、適宜図面を参照し、本発明の様々な実施形態を説明する。なお、各図面において共通する構成要素に対しては同一の参照符号が付されている。各図面は、説明の便宜上、必ずしも正確な縮尺で記載されているとは限らない点に留意されたい。
【００１３】
図１は、本発明の一実施形態に係る釣竿の構成を示す側面図である。図１に示すように、本発明の一実施形態に係る釣竿Ｒの竿体１は、元竿１−１と、元竿１−１の先端に取り付けられる穂先竿１−２と、を含む。竿体１は３つ以上の任意の数の竿部材を含んでもよい。例えば、元竿１−１と穂先竿１−２との間に中竿を取り付けることにより、３つの竿部材から成る竿体１が得られる。元竿１−１には、リールシート３を介してリール２が着脱自在に装着される。また、元竿１−１の基端側には、グリップ４が取り付けられている。
【００１４】
これらの元竿１−１及び穂先竿１−２は、典型的には、強化繊維に合成樹脂を含浸させた繊維強化プリプレグシートから作製される。具体的には、繊維強化プリプレグシートを芯金に巻回した後、硬化、脱芯等の工程を行うことにより、元竿１−１及び穂先竿１−２が得られる。元竿１−１及び穂先竿１−２の材料や製法は本明細書で説明されるものに限定されず、それ以外の様々な公知の材料や公知の製法を用いて作製され得る。各竿は、中空構造及び中実構造のいずれの構造を有するものであってもよい。
【００１５】
竿体１には、少なくとも１つの釣糸ガイドが取り付けられている。図１の例では、竿体１には、釣糸ガイド６−１乃至釣糸ガイド６−１６の１６個の釣糸ガイドが取り付けられている。リール３から繰り出された釣糸５は、図１に示された釣糸ガイド６−１乃至釣糸ガイド６−１６により竿体１の穂先まで案内される。釣糸ガイド６−１は釣り人の手元に最も近い位置にあるので「元ガイド」と呼ばれることがある。また、釣糸ガイド６−１６は、竿体１の最も先端側にあるので、「トップガイド」と呼ばれることがある。また、本明細書においては、釣糸ガイド６−１乃至釣糸ガイド６−１６を釣糸ガイド６と総称することがある。
【００１６】
図１には、リール２として、ベイトキャスティングリールを用いた例が示されている。図示のとおり、ベイトキャスティングリールは、一般に、竿体１の外周面の上側に取り付けられる。リール２としてベイトキャスティングリール又はそれ以外の竿体１の外周面の上側に取り付けられるリールを用いる場合には、釣糸を案内するための釣糸ガイド６−１〜６−１６も竿体１の上側に取り付けられる。
【００１７】
図２は、図１に示した釣竿１のリール２及び釣糸ガイド６−１付近を拡大して模式的に示す側面図である。図示のとおり、釣糸ガイド６−１は、一組の筒状の固定部材７−１、７−２によって竿体１に取り付けられる。固定部材７−１、７−２の各々は、例えば繊維強化プラスチックから成る。この固定部材７−１、７−２の各々は、竿体１の外面を釣糸ガイド６−１の足部（後述する）とともに覆い、該足部を竿体１の外周面に対して押圧することで、釣糸ガイド６−１を竿体１に固定する。固定部材７−１、７−２に代えて、ナイロン繊維等から成る巻糸を用いて釣糸ガイド６−１を竿体１に固定してもよい。巻糸を用いて釣糸ガイド６−１を竿体１に固定するには、竿体１の所定位置に釣糸ガイド６−１を配置し、この釣糸ガイド６−１の足部を巻糸で竿体１に巻き付けた後、この巻糸に対して接着剤を付与すればよい。
【００１８】
次に、図３及び図４を参照して、釣糸ガイド６−１の構成をさらに説明する。図３は、図２に示した釣竿をＡ−Ａ’線に沿って切断した断面図であり、釣竿Ｒの前方（穂先側又はトップガイド６−１６側）から見た釣糸ガイド６−１を模式的に表している。図４は、図１に示した釣竿における釣糸ガイド６−１及び釣糸ガイド６−２の付近を拡大して模式的に示す側面図であり、釣竿Ｒの側面から見た釣糸ガイド６−１を模式的に表している。
【００１９】
図示のとおり、釣糸ガイド６−１は、環状のガイドリング９を保持する保持部８と、保持部８からそれぞれ延びて保持部８をそれぞれ支持する前側支脚部１０及び後側支脚部１２と、前側支脚部１０から竿体１の軸方向に沿って前方に延びる前側足部１１と、後側支脚部１２から竿体１の軸方向に沿って後方に延びる後側足部１３と、を主に含む。つまり、前側支脚部１０は、保持部８と前側足部１１との間に設けられており、後側支脚部１２は、保持部８と後側足部１３との間に設けられている。保持部８は、円形の開口を有し、後方から前方に向かって傾いている板状の部材であり、この開口内にガイドリング９を保持する。後側支脚部１２も後方から前方に向かって傾いている板状の部材であり、一実施形態においては、後側支脚部１２は、保持部８と同一平面上にある。図示した実施形態において、前側支脚部１０は、前側足部１１との結合部分から保持部８との結合部分に向かうにつれて幅広となるように構成された板状の部材である。また、後側支脚部１２は、後側足部１３との結合部分から保持部８との結合部分に向かうにつれて幅広となるように構成された板状の部材である。ガイドリング９は、各種のセラミックス、金属、又は樹脂から形成される。
【００２０】
一実施形態において、前側支脚部１０は、屈曲部１０Ｒにおいて屈曲するように構成される。この場合、前側支脚部１０は、保持部８の下端に結合されて竿体１の軸方向と所定の角度α１を成して竿体１に向かって延びる上側部材１０−１と、上側部材１０−１と屈曲部１０ａで結合されて竿体１の軸方向と角度α１よりも小さい角度α２を成して竿体１に向かって延びる下側部材１０−２とから成る。このように前側支脚部１０に屈曲部１０ａを設けることにより、釣糸ガイド６−１にかかる応力を屈曲部１０ａに集中させることができる。これにより、細く破損しやすい前側支脚部１０と前側取付部１１との接続部（前側支脚部１０の付け根）へ作用する応力を緩和することができ、この前側支脚部１０と前側取付部１１との接続部が破損することを防止又は抑制することができる。また、前側支脚部１０には、軽量化のために開口１０ａが形成されている。
【００２１】
釣糸ガイド６−１は、プリプレグシートから作製することができる。釣糸ガイド６−１は、例えば、複数のプリプレグシートをプレス加工により貼り合わせてプリプレグ成形品を作成し、このプリプレグ成形品から、保持部８、前側支脚部１０、前側足部１１、後側支脚部１２、及び後側足部１３に相当する形状のフレームを切り出し、この切り出されたフレームにガイドリング９を嵌め込むことで作製される。プリプレグシートから釣糸ガイドを作製する工程の詳細については、本出願人の国際出願ＰＣＴ／ＪＰ２０１２／０７９５９５に記載されている。釣糸ガイド６−１は、上記以外の任意の公知の手法を用いて作製してもよい。例えば、釣糸ガイド６−１は、金属や合成樹脂等の材料を用いた射出成形により形成される。
【００２２】
釣糸ガイド６−１を構成する構成部材の寸法についてさらに図５も参照して説明する。図５は、釣糸ガイド６−１を模式的に示す側面図である。一実施形態において、釣糸ガイド６−１は、その前方（竿体１の穂先側）又はその後方（竿体１のグリップ４側）から見た最大幅（図３において「Ｗ１」で表されている。）が、釣糸ガイド６−１の取付位置における竿体１の外径と実質的に同一か又は当該外径よりも小さくなるように構成される。したがって、釣糸ガイド６−１を構成する保持部８、前側支脚部１０、前側足部１１、後側支脚部１２、後側足部１３の任意の部分における幅は、いずれも釣糸ガイド６−１の取付位置における竿体１の外径と実質的に同一か又は当該外径よりも小さくなる。
【００２３】
図３の例においては、竿部１において釣糸ガイド６−１の前側足部１１に対応する位置を釣糸ガイド６−１の取付位置とし、その取付位置における竿体１の外径をＷ２で表している。他の実施形態においては、竿部１における釣糸ガイド６−１の後側足部１３に対応する位置を釣糸ガイド６−１の取付位置としてもよいし、又は、前側足部１１と後側足部１３との間の任意の位置を取付位置としてもよい。
【００２４】
このように、釣糸ガイド６−１の最大幅を、その取付位置における竿体１の外径と実質的に同一か又は当該外径よりも小さくすることにより、正常軌道から逸脱した釣糸５をガイドリング９内に復帰させる際に、釣糸５が釣糸ガイド６−１と衝突しにくくなる。図３に示した実施形態において、釣糸５に対してテンションが十分にかかっていないときに、当該釣糸５は、ガイドリング９の開口９ａから竿体１の外周面の上側まで落下し、その後竿体１の外周面に沿って竿体１の下方の位置（例えば、図３に示した落下位置Ｐ１）まで落下する。このようにして竿体１の下方にまで落下した釣糸５をガイドリング９を通る正常軌道に復帰させるために釣糸５に十分なテンションをかけると、釣糸５は、まず竿体１の側方の位置（例えば、図３に示した竿体側方位置Ｐ２）まで竿体１の外周面に沿って引き上げられ、その後ガイドリング９に向かって斜めに引き上げられる。このとき、釣糸ガイド６−１の一部が竿体１から張り出していると、その張り出した部分に対して竿体側方位置Ｐ２からガイドリング９に移動する釣糸５が衝突し、釣糸５の正常軌道へのスムースな復帰が妨げられる可能性がある。本発明の実施形態に係る釣竿Ｒにおいては、釣糸ガイド６−１の最大幅をその取付位置における竿体１の外径と実質的に同一か又は当該外径よりも小さくすることにより、釣糸５がリングガイド９方向へ移動する際に釣糸ガイド６−１に衝突しづらくなり、その結果、釣糸５はガイドリング９を通る正常軌道にスムースに復帰することができる。
【００２５】
また、本発明の実施形態によれば、釣糸ガイド６−１の最大幅をその取付位置における竿体１の外径と実質的に同一か又は当該外径よりも小さくすることにより、ガイドリング９の内径も竿体１の取付位置における外径よりも小さくなる。したがって、釣糸５とガイドリング９との間の遊びが少なくなり、魚信感度が良くなる。つまり、魚がヒットしたときに、魚の引きにより釣糸５にかかった力がすぐにガイドリング９に伝達される。
【００２６】
図４の実施形態において、釣糸ガイド６−１のガイドリング９の内周面の下端は、隣接する釣糸ガイド６−２のガイドリングの内周面の上端よりも上方にある。また、リール２からの釣糸５の放出位置は、釣糸ガイド６−１〜６−１６よりも上方にある。したがって、釣糸５は、リール２と釣糸ガイド６−１との間において、釣糸ガイド６−２の内周面の上端よりも高い位置を通過するため、多少緩んでも竿体１に接触しづらくなる。これにより、竿体１との接触により釣糸５に作用する摩擦力を減少させることができるので、仕掛けの飛距離が減少したり仕掛けの取り込み操作が遅くなることを防止できる。
【００２７】
釣糸ガイド６−１を上記のように幅狭に形成すると、それに応じてガイドリング９の内径も小さくならざるを得ない。ガイドリング９の内径が小さくなると、釣糸５がガイドリング９の内径と接触しやすくなって釣糸５に作用する摩擦力が増大おそれがある。本発明の一実施形態においては、釣糸ガイド６−１のガイドリング９の内周面の下端が隣接する釣糸ガイド６−２のガイドリングの内周面の上端よりも上側に配置することにより、釣糸５が竿体１と接触しにくくなるので、釣糸５とガイドリング９の内側との摩擦が増加する影響を緩和できる。
【００２８】
一実施形態において、釣糸ガイド６−１は、その前側足部１１の幅Ｗ３が、釣糸ガイド６−１の取付位置における竿体１の外径Ｗ２の概ね１／２となるように構成される。前側足部１１の幅Ｗ３をＷ２の概ね１／２とすることにより、釣糸ガイド６−１を竿体１に安定的に取り付けることができる。また、前側足部１１の幅Ｗ３をＷ２の概ね１／２とすることにより、前側支脚部１０を比較的幅広に構成することができるので、釣糸５がガイドリング９から下方に垂れ下がった場合でも、釣糸が釣糸ガイド６−１の根元付近（前側支脚部１０と前側足部１２との境界付近）に絡みにくくすることができる。また、前側足部１１と同様に、後側足部１３は、その幅が釣糸ガイド６−１の取付位置における竿体１の外径Ｗ２の概ね１／２となるように構成される。
【００２９】
また、図５に示されるように、ガイドリング９は、保持部８に装着された状態において、その下端が、図５に示す側面視で（釣竿Ｒの穂先側を前としグリップ４側を後ろとしたときの左側又は右側から見たときに）、前側足部１１（又は前側支脚部１０の付け根）と後側足部１３（又は後側支脚部１２の付け根）との略中央にある。図５においては、前側足部１１の後端（前側支脚部１０の付け根に相当）とガイドリング９の内周面の下端から竿体１の軸線に下ろした垂線の足との間の距離をａ、後側足部１３の前端（後側支脚部１２の付け根に相当）とガイドリング９の内周面の下端から竿体１の軸線に下ろした垂線の足との間の距離をｂと表している。一実施形態において、ガイドリング９の下端が、側面視で、前側足部１１と後側足部１３との略中央にあるという時には、距離ａと距離ｂとの比率がａを１としたときに、ｂが０．７〜１．３の間にあることを意味する。
【００３０】
このように、ガイドリング９の下端が、側面視で、前側足部１１と後側足部１３との略中央にあるように釣糸ガイド６−１を構成することにより、釣糸５からガイドリング９の下端付近に下向きの力が作用した場合（図６参照）に、前側足部１１と後側足部１３に作用する曲げモーメントを概ね同一にすることができる。したがって、前側足部１１と後側足部１３の一方へ曲げモーメントが集中することによる釣糸ガイド６−１の変形を防止又は緩和することができる。
【００３１】
一実施形態においては、ガイドリング９の上端が、側面視で、前側足部１１の後端よりも後方にあるように、釣糸ガイド６−１が構成される。図５に示されているように、ガイドリング９の上端は、屈曲部１０ａより後方にあってもよい。このように、ガイドリング９の上端を前側足部１１の後端よりも後方に配置することにより、ガイドリング９の上端付近に釣糸から力が作用したときに、後側足部１３に作用する曲げモーメントを小さくすることができる。特許文献１の段落［０００６］に記載されているように、保持部８が（したがって、ガイドリング９も）後方から前方に向かって傾いているタイプの釣糸ガイドにおいては、ガイドリングの上端付近に力がかかる場合の曲げモーメントによる変形が問題となっている。これに対して、本実施形態の釣糸ガイド６−１のように、ガイドリング９の上端が、側面視で、前側足部１１の後端よりも後方に配置することにより、ガイドリング９の上端から後側足部１３までの距離を短縮して、後側足部１３に作用する曲げモーメントを小さくすることができ、後側足部１３付近の変形を防止又は緩和することができる。
【００３２】
また、上記のとおり、保持部８を釣糸ガイド６−１の取付位置における竿体１の外径と実質的に同一か又は当該外径よりも小さくなるように構成することにより、ガイドリング９の左右方向に力が作用した場合にも、保持部８が大径に構成されている場合と比較して、前側足部１１及び後側足部１３にかかる曲げモーメントを小さくすることができ、後側足部１３付近の変形を防止又は緩和することができる。
【００３３】
また、図５においては、前側足部１１の後端とガイドリング９の内周面の上端から竿体１の軸線に下ろした垂線の足との間の距離をｃ、後側足部１３の前端とガイドリング９の内周面の下端から竿体１の軸線に下ろした垂線の足との間の距離をｄと表している。一実施形態においては、距離ｃと距離ｄとの比率がｃを１としたときに、ｄが０．７〜１．３の間にある。他の実施形態においては、距離ａと距離ｄとが略同一となる。このことは、ガイドリング９の中心が、前側足部１１の後端と後側足部１３との中央にあることを意味する。
【００３４】
以上、釣糸ガイド６−１を例に、本発明の範囲に含まれる釣糸ガイドの構成を説明したが、釣糸ガイド６−２〜６−１６も、釣糸ガイド６−１と同様に構成され得る。ただし、寸法は互いに同じであってもよいし異なっていてもよい。図１の実施形態においては、釣糸ガイド６−１〜６−１６のうち、前方にある釣糸ガイドは、後方にある釣糸ガイドと比べて、幅が同一か又は小さくなり、また、高さが同一か又は低くなるように構成される。例えば、釣糸ガイド６−２は、それよりも後方にある釣糸ガイド６−１よりも幅が小さく高さが低くなるように構成され、トップガイド６−１６近辺の釣糸ガイド（例えば、釣糸ガイド６−１０〜６−１６）は、互いに同幅・同高に形成される。
【００３５】
本明細書で説明された各構成要素の寸法、材料、及び配置は、実施形態中で明示的に説明されたものに限定されず、この各構成要素は、本発明の範囲に含まれうる任意の寸法、材料、及び配置を有するように変形することができる。また、本明細書において明示的に説明していない構成要素を、説明した実施形態に付加することもできるし、各実施形態において説明した構成要素の一部を省略することもできる。
【符号の説明】
【００３６】
Ｒ  釣竿
１  竿体
５  釣糸
６（６−１〜６−１６）  釣糸ガイド
８  保持部
９  ガイドリング
１０  前側支脚部
１１  前側足部
１２  後側支脚部
１３  後側足部
【図３】
2014135913.tif 000003
【図５】
2014135913.tif 000004
【図１】
2014135913.tif 000005
【図２】
2014135913.tif 000006
【図４】
2014135913.tif 000007
【図６】
2014135913.tif 000008